(57)【要約】      （修正有）【課題】水濾過アセンブリの第１のバンクと第２のバンクとを備える水濾過システム、及び、水を水濾過システムに通過させることによって濾過する方法の提供。【解決手段】第１のバンクと、第２のバンクとを備える水濾過システム１であって、水濾過アセンブリの一方のバンクから濾過された水を提供し、濾過された水の一部を使用して水濾過アセンブリの他方のバンクを逆洗するように構成した。【選択図】図１
2020110791.tif 000002
【特許請求の範囲】
【請求項１】
第１のバンクと、第２のバンクとを備える水濾過システムであって、
（Ａ）前記第１のバンクは、
（ａ）複数の水平に配置された水濾過アセンブリであって、前記第１のバンクにおける前記水濾過アセンブリの各々が、供給入口、濾液出口、及び排水出口を含むフィルタハウジングを有するフィルタモジュールを備え、前記フィルタハウジングが、前記供給入口と前記濾液出口との間の濾液流路、及び前記供給入口と前記排水出口との間の排水流路、並びに前記濾液流路全体にわたる多孔質フィルタを画定し、前記濾液流路が、前記多孔質フィルタの上流及び下流表面を貫通し、前記排水流路が、前記多孔質フィルタの前記表面を貫通していない、水濾過アセンブリと、
（ｂ）第１のバンク供給入口及び複数の水濾過アセンブリ入口ポートを備える第１のバンク供給マニホールドであって、前記水濾過アセンブリ入口ポートの各々が、それぞれのフィルタモジュール供給入口と流体連通している、第１のバンク供給マニホールドと、
（ｃ）第１のバンク濾液出口ポート及び複数の水濾過アセンブリ出口ポートを備える第１のバンク濾液マニホールドであって、前記水濾過アセンブリ出口ポートの各々が、それぞれのフィルタモジュール濾液出口と流体連通しており、前記第１のバンク濾液出口ポートが、第１の定流量継手と流体連通している、第１のバンク濾液マニホールドと、
（ｄ）第１のバンク排水出口ポート及び複数の水濾過アセンブリ排水出口ポートを備える第１のバンク排水マニホールドであって、前記水濾過アセンブリ排水出口ポートの各々が、それぞれのフィルタモジュール排水出口と流体連通しており、前記第１のバンク排水出口ポートが、第２の定流量継手と流体連通している、第１のバンク排水マニホールドと
を備え、
（Ｂ）前記第２のバンクは、
（ｅ）複数の水平に配置された水濾過アセンブリであって、前記第２のバンクにおける前記水濾過アセンブリの各々が、供給入口、濾液出口、及び排水出口を含むフィルタハウジングを有するフィルタモジュールを備え、前記フィルタハウジングが、前記供給入口と前記濾液出口との間の濾液流路、及び前記供給入口と前記排水出口との間の排水流路、並びに前記濾液流路全体にわたる多孔質フィルタを画定し、前記濾液流路が、前記多孔質フィルタの上流及び下流表面を貫通し、前記排水流路が、前記多孔質フィルタの前記表面を貫通していない、水濾過アセンブリと、
（ｆ）第２のバンク供給入口及び複数の水濾過アセンブリ入口ポートを備える第２のバンク供給マニホールドであって、前記水濾過アセンブリ入口ポートの各々が、それぞれのフィルタモジュール供給入口と流体連通している、第２のバンク供給マニホールドと、
（ｇ）第２のバンク濾液出口ポート及び複数の水濾過アセンブリ出口ポートを備える第２のバンク濾液マニホールドであって、前記水濾過アセンブリ出口ポートの各々が、それぞれのフィルタモジュール濾液出口と流体連通しており、前記第２のバンク濾液出口ポートが、前記第１の定流量継手と流体連通している、第２のバンク濾液マニホールドと、
（ｈ）第２のバンク排水出口ポート及び複数の水濾過アセンブリ排水出口ポートを備える第２のバンク排水マニホールドであって、前記水濾過アセンブリ排水出口ポートの各々が、それぞれのフィルタモジュール排水出口と流体連通しており、前記第２のバンク排水出口ポートが、第３の定流量継手と流体連通している、第２のバンク排水マニホールドと
を備える、水濾過システム。
【請求項２】
前記第１の定流量継手を有する共通濾液継手を備え、
前記共通濾液継手が、前記第１のバンク濾液ポート及び前記第１のバンク濾液マニホールドからの濾液の流れが逆流として前記第２のバンク濾液マニホールド、前記第２のバンクモジュール濾液出口を経て水濾過アセンブリの前記第２のバンクを通り、前記多孔質フィルタの前記表面、前記第２のバンク排水ポートを通って、前記第２のバンク排水マニホールドを通り、かつ共通出口を通って流れることを可能にし、前記第２のバンク濾液ポート及び前記第２のバンク濾液マニホールドからの濾液の流れが逆流として前記第１のバンク濾液マニホールド、前記第１のバンクモジュール濾液出口を経て前記第１のバンク水濾過アセンブリを通り、前記多孔質フィルタの前記表面、前記第１のバンク排水ポートを通って、前記第１のバンク排水マニホールドを通り、かつ前記共通出口を通って流れることを可能にするように構成されている、請求項１に記載のシステム。
【請求項３】
前記第１のバンク濾液マニホールドと前記第２のバンクマニホールドとが互いに接合され、ワンピース型のマニホールドを構成している、請求項１又は２に記載のシステム。
【請求項４】
水を濾過する方法であって、
原水を請求項１〜３のいずれか一項に記載の水濾過システムと前記第１のバンクの前記水濾過アセンブリとに流入させるステップと、
濾液を取得するステップと、
前記濾液の一部を逆流として前記第２のバンクの前記水濾過アセンブリに流通させるステップと、
飲料用に処理される前記濾液の別の部分を取得するステップと
を含む、方法。
【請求項５】
原水を前記第２のバンクの前記水濾過アセンブリに流入させるステップと、
濾液を取得するステップと、
前記濾液の一部を逆流として前記第１のバンクの前記水濾過アセンブリに流通させるステップと、
飲料用に処理される前記濾液の別の部分を取得するステップと
をさらに含む、請求項４に記載の方法。
【発明の詳細な説明】
【発明の背景】
【０００１】
[0001]移動式浄水システムは、様々な用途に対して望ましいものである。そのシステムは、飲料水を必要とする人々のグループ、例えば、現場の軍隊にとって特に望ましい。典型的には、そのシステムは、車両又はトレーラに取り付けられ、必要な場所に輸送され、飲料水を提供するよう運転される。
【０００２】
[0002]しかし、改良型の浄水システムが必要とされている。本発明は、先行技術の欠点の少なくともいくつかの改善を可能とする。本発明のこれら及び他の利点は、以下に記載される説明から明らかになるであろう。
【発明の概要】
【０００３】
[0003]本発明の一実施形態は、第１のバンクと、第２のバンクとを備える水濾過システムを提供するものであり、（Ａ）第１のバンクは、（ａ）複数の水平に配置された水濾過アセンブリであって、第１のバンクにおける各水濾過アセンブリが、供給入口、濾液出口及び排水出口を含むフィルタハウジングを備えるフィルタモジュールを具備し、フィルタハウジングが、供給入口と濾液出口との間の濾液流路、及び供給入口と排水出口との間の排水流路、並びに濾液流路全体にわたる多孔質フィルタを画定し、濾液流路が、多孔質フィルタの上流及び下流表面を貫通し、排水流路が、多孔質フィルタの表面を貫通しない、水濾過アセンブリと、（ｂ）第１のバンク供給入口及び複数の水濾過アセンブリ入口ポートを備える第１のバンク供給マニホールドであって、各水濾過アセンブリ入口ポートが、それぞれのフィルタモジュール供給入口と流体連通している、第１のバンク供給マニホールドと、（ｃ）第１のバンク濾液出口ポート及び複数の水濾過アセンブリ出口ポートを備える第１のバンク濾液マニホールドであって、各水濾過アセンブリ出口ポートが、それぞれのフィルタモジュール濾液出口と流体連通しており、第１のバンク濾液出口ポートが、第１の定流量継手と流体連通している、第１のバンク濾液マニホールドと、（ｄ）第１のバンク排水出口ポート及び複数の水濾過アセンブリ排水出口ポートを備える第１のバンク排水マニホールドであって、各水濾過アセンブリ排水出口ポートが、それぞれのフィルタモジュール排水出口と流体連通しており、第１のバンク排水出口ポートが、第２の定流量継手と流体連通している、第１のバンク排水マニホールドとを備え、（Ｂ）第２のバンクは、（ｅ）複数の水平に配置された水濾過アセンブリであって、第２のバンクにおける各水濾過アセンブリが、供給入口、濾液出口及び排水出口を含むフィルタハウジングを備えるフィルタモジュールを具備し、フィルタハウジングが、供給入口と濾液出口との間の濾液流路、及び供給入口と排水出口との間の排水流路、並びに濾液流路全体にわたる多孔質フィルタを画定し、濾液流路が、多孔質フィルタの上流及び下流表面を貫通し、排水流路が、多孔質フィルタの表面を貫通しない、水濾過アセンブリと、（ｆ）第２のバンク供給入口及び複数の水濾過アセンブリ入口ポートを備える第２のバンク供給マニホールドであって、各水濾過アセンブリ入口ポートが、それぞれのフィルタモジュール供給入口と流体連通している、第２のバンク供給マニホールドと、（ｇ）第２のバンク濾液出口ポート及び複数の水濾過アセンブリ出口ポートを備える第２のバンク濾液マニホールドであって、各水濾過アセンブリ出口ポートが、それぞれのフィルタモジュール濾液出口と流体連通しており、第２のバンク濾液出口ポートが、第１の定流量継手と流体連通している、第２のバンク濾液マニホールドと、（ｈ）第２のバンク排水出口ポート及び複数の水濾過アセンブリ排水出口ポートを備える第２のバンク排水マニホールドであって、各水濾過アセンブリ排水出口ポートが、それぞれのフィルタモジュール排水出口と流体連通しており、第２のバンク排水出口ポートが、第３の定流量継手と流体連通している、第２のバンク排水マニホールドとを備える。
【０００４】
[0004]いくつかの実施形態では、水濾過システムは、第１及び第２のバンクが取り付けられたフレームをさらに備える。代替の実施形態では、各バンクは、別個独立のフレームに取り付けることができ、又はバンクは、フレームの有無にかかわらず一緒に取り付けることができる。さらに別の実施形態では、少なくとも１つのバンクは、ベース（例えば、ジョイントモジュラーインターモーダルコンテナ（Ｊｏｉｎｔ  Ｍｏｄｕｌａｒ  Ｉｎｔｅｒｍｏｄａｌ  Ｃｏｎｔａｉｎｅｒ：ＪＭＩＣ）パレットのベース）に取り付けることができる。
【０００５】
[0005]第１及び第２のバンクは、上側バンク及び下側バンクとなるように垂直に配置することができ、又は右側バンク及び左側バンクとなるように水平に配置することができる。
【０００６】
[0006]好ましい実施形態では、オフラインバンクの供給入口は、キャップされ又は閉鎖され、システムは、第１の定流量継手を要する共通濾液継手を備え、共通濾液継手が、オンラインバンク（例えば、第１のバンク）濾液ポート及び第１のバンク濾液マニホールドからの濾液の流れが逆流として第２のバンク濾液マニホールド、第２のバンクモジュール濾液出口を経て水濾過アセンブリの他方のバンク（例えば、第２のバンク）を通って、多孔質フィルタの表面、第２のバンク排水ポートを通り、そして第２のバンク排水マニホールドを通って、かつ共通出口を通って流れることを可能にし、以前のオフラインバンクが現時点ではンラインバンクになっているとき、オンラインバンク（例えば、第２のバンク）濾液ポート及び第２のバンク濾液マニホールドからの濾液の流れが逆流として第１のバンク濾液マニホールド、第１のバンクモジュール濾液出口を経て第１のバンク水濾過アセンブリの他方のバンク（現在オフラインの第１のバンク）を通って、多孔質フィルタの表面、第１のバンク排水ポートを通り、そして第１のバンク排水マニホールドを通って、かつ共通出口を通って流れることを可能にするように配置構成される。
【０００７】
[0007]別の実施形態では、水を濾過するための方法が提供され、原水をシステムに流入させるステップと、一方のバンクから濾液を取得するステップと、濾液の一部を逆流として他方のバンクに流通させるステップと、飲料用に処理される濾液の別の部分を取得するステップとを含む。
【図面の簡単な説明】
【０００８】
【図１】本発明の一実施形態による水濾過システムの前方からの等角図であり、水濾過アセンブリの上側及び下側バンクを示し、各アセンブリは、複数のフィルタモジュール、供給マニホールド、及びアセンブリを保持するフレームを含む。
【図２】図１に示す水濾過システムの後方からの等角図であり、また、排水マニホールド及び濾液マニホールドを含む各水濾過アセンブリを示す。
【図３】水濾過アセンブリの各々からの濾液並びに排水の流れのための濾液出口、排水出口、継手、及び導管の上面図であり、フィルタモジュールは、図１から取り外され、濾液出口は、定流量継手及び２つの濾液出口ポートを含み、排水出口は、各々が排水出口継手と連通している２つの排水出口ポートを含み、各排水出口継手は、定流量継手を含む。
【図４】図１に示す水濾過システムの右側面図である。
【図５】図１に示す水濾過システムの正面図である。
【図６Ａ】例示的なフィルタモジュールの前端面図である。
【図６Ｂ】図６ＢのＡ−Ａに沿った断面図である。
【図６Ｃ】フィルタが示されていない、図のＡ−Ａに沿った断面図である。
【図７】継手に配置された例示的な定流量弁の概略断面図であり、流量が増加すると移動してオリフィスの直径を縮小することができるゴム製制御リングを示す。
【図８Ａ】順方向濾過における上側バンクの概略図である。
【図８Ｂ】順方向濾過における下側バンクの概略図である。
【図９Ａ】第１のバンクが順方向濾過で「オンライン」であり、原水が一定の順方向洗浄液となり、第２のバンクが「オフライン」である運転中の水濾過システムの概略図であり、第２のバンクは、第１のバンクからの濾液を使用した一定の逆方向洗浄液によって再生される。
【図９Ｂ】第２のバンクが順方向濾過で「オンライン」であり、原水が一定の順方向洗浄液となり、第１のバンクが「オフライン」である運転中の水濾過システムの概略図であり、第１のバンクは、第２のバンクからの濾液を使用した一定の逆方向洗浄液によって再生される。
【図１０】本発明の別の実施形態による水濾過システムの前方からの等角図であり、水濾過アセンブリの右側及び左側バンクを示し、各アセンブリは、複数のフィルタモジュール、供給マニホールド、及びアセンブリを保持するフレームを含む。
【図１１】図１０に示す水濾過システムの後方からの等角図であり、また、排水マニホールド及び濾液マニホールドを含む各水濾過アセンブリを示し、濾液マニホールドは、接合されている。
【図１２】各水濾過アセンブリからの濾液の流れのための濾液出口、排水出口、継手及び導管並びに排水のための導管の上面図であり、フィルタモジュールは、図１０から取り外され、濾液出口は、定流量継手（図示せず）及び２つの濾液出口ポートを含み、排水出口は、各々が排水出口継手と連通している２つの排水出口ポートを含み、各排水出口継手は、定流量継手（図示せず）を含む。
【図１３】図１０に示す水濾過システムの右側面図である。
【図１４】図１０に示す水濾過システムの正面図である。
【図１５】フレームに取り付けられるのではなくベース（ジョイントモジュラーインターモーダルコンテナ（ＪＭＩＣ）パレットのベースとして示される）に取り付けられることを除いて図１に示す実施形態と同様である、本発明の別の実施形態による水濾過システムの前方からの等角図であり、また、水濾過アセンブリの上側及び下側バンクを示し、各アセンブリは、複数のフィルタモジュール、供給マニホールド、及びアセンブリを保持するフレームを含む。
【図１６】図１５に示す水濾過システムの後方からの等角図であり、また、排水マニホールド及び濾液マニホールドを含む各水濾過アセンブリを示す。
【図１７】図１５に示すようなベースに取り付けられた水濾過システムの前方からの等角図であり、また、パレットの側壁を示す。
【図１８】図１６に示すようなベースに取り付けられた水濾過システムの前方からの等角図であり、また、パレットの前壁を示す。
【図１９】図１７に示すようなベースに取り付けられた水濾過システムの前方からの等角図であり、また、パレットの上壁を示す。
【発明を実施するための形態】
【０００９】
[0027]本発明の一実施形態は、第１のバンクと、第２のバンクとを備える水濾過システムを提供するものであり、（Ａ）第１のバンクは、（ａ）複数の水平に配置された水濾過アセンブリであって、第１のバンクにおける各水濾過アセンブリが、供給入口、濾液出口、及び排水出口を含むフィルタハウジングを有するフィルタモジュールを備え、フィルタハウジングが、供給入口と濾液出口との間の濾液流路、及び供給入口と排水出口との間の排水流路、並びに濾液流路全体にわたる多孔質フィルタを画定し、濾液流路が、多孔質フィルタの上流及び下流表面を貫通し、排水流路が、多孔質フィルタの表面を貫通しない、水濾過アセンブリと、（ｂ）第１のバンク供給入口及び複数の水濾過アセンブリ入口ポートを備える第１のバンク供給マニホールドであって、各水濾過アセンブリ入口ポートが、それぞれのフィルタモジュール供給入口と流体連通している、第１のバンク供給マニホールドと、（ｃ）第１のバンク濾液出口ポート及び複数の水濾過アセンブリ出口ポートを備える第１のバンク濾液マニホールドであって、各水濾過アセンブリ出口ポートが、それぞれのフィルタモジュール濾液出口と流体連通しており、第１のバンク濾液出口ポートが、第１の定流量継手と流体連通している、第１のバンク濾液マニホールドと、（ｄ）第１のバンク排水出口ポート及び複数の水濾過アセンブリ排水出口ポートを備える第１のバンク排水マニホールドであって、各水濾過アセンブリ排水出口ポートが、それぞれのフィルタモジュール排水出口と流体連通しており、第１のバンク排水出口ポートが、第２の定流量継手と流体連通している、第１のバンク排水マニホールドとを備え、（Ｂ）第２のバンクは、（ｅ）複数の水平に配置された水濾過アセンブリであって、第２のバンクにおける各水濾過アセンブリが、供給入口、濾液出口、及び排水出口を含むフィルタハウジングを有するフィルタモジュールを備え、フィルタハウジングが、供給入口と濾液出口との間の濾液流路、及び供給入口と排水出口との間の排水流路、並びに濾液流路全体にわたる多孔質フィルタを画定し、濾液流路が、多孔質フィルタの上流及び下流表面を貫通し、排水流路が、多孔質フィルタの表面を貫通しない、通過水濾過アセンブリと、（ｆ）第２のバンク供給入口及び複数の水濾過アセンブリ入口ポートを備える第２のバンク供給マニホールドであって、各水濾過アセンブリ入口ポートが、それぞれのフィルタモジュール供給入口と流体連通している、第２のバンク供給マニホールドと、（ｇ）第２のバンク濾液出口ポート及び複数の水濾過アセンブリ出口ポートを備える第２のバンク濾液マニホールドであって、各水濾過アセンブリ出口ポートが、それぞれのフィルタモジュール濾液出口と流体連通しており、第２のバンク濾液出口ポートが、第１の定流量継手と流体連通している、第２のバンク濾液マニホールドと、（ｈ）第２のバンク排水出口ポート及び複数の水濾過アセンブリ排水出口ポートを備える第２のバンク排水マニホールドであって、各水濾過アセンブリ排水出口ポートが、それぞれのフィルタモジュール排水出口と流体連通しており、第２のバンク排水出口ポートが、第３の定流量継手と流体連通している、第２のバンク排水マニホールドとを備える。
【００１０】
[0028]一実施形態では、第１のバンク濾液マニホールドと第２のバンクマニホールドとが互いに接合され、ワンピース型のマニホールドを構成する。
【００１１】
[0029]いくつかの実施形態では、水濾過システムは、第１及び第２のバンクが取り付けられたフレームをさらに備える。代替の実施形態では、各バンクは、別個独立のフレームに取り付けることができ、又はバンクは、フレームの有無にかかわらず一緒に取り付けることができる。さらに別の実施形態では、少なくとも１つのバンクは、ベース（例えば、ジョイントモジュラーインターモーダルコンテナ（ＪＭＩＣ）パレットのベース）に取り付けることができる。
【００１２】
[0030]一実施形態では、システムは、人が支持するのに十分なほど軽量である。
【００１３】
[0031]第１及び第２のバンクは、上側バンク及び下側バンクとなるように垂直に配置することができ、又は右側バンク及び左側バンクとなるように水平に配置することができる。
【００１４】
[0032]好ましくは、一方のバンクは、順方向濾過を可能とする「オンライン」であり、原水は、一定の順方向洗浄液となり、他方のバンクは、「オフライン」であり、オフラインバンクは、オンラインバンクからの濾液を使用した一定の逆方向洗浄液によって再生される。
【００１５】
[0033]好ましい実施形態では、オフラインバンクの供給入口は、キャップされ又は閉鎖され、システムは、第１の定流量継手を備える共通濾液継手を備え、共通濾液継手は、オンラインバンク（例えば、第１のバンク）濾液ポート及び第１のバンク濾液マニホールドからの濾液の流れが逆流として第２のバンク濾液マニホールド、第２のバンクモジュール濾液出口を介して水濾過アセンブリの他方のバンク（例えば、第２のバンク）を通り、多孔質フィルタの表面、第２のバンク排水ポートを通って、第２のバンク排水マニホールドを通り、かつ共通出口を通って流れることを可能にし、以前のオフラインバンクが現在オンラインバンクになっているとき、オンラインバンク（例えば、第２のバンク）濾液ポート及び第２のバンク濾液マニホールドからの濾液の流れが逆流として第１のバンク濾液マニホールド、第１のバンクモジュール濾液出口を経て第１のバンク水濾過アセンブリの他方のバンク（現在オフラインの第１のバンク）を通り、多孔質フィルタの表面、第１のバンク排水ポートを通って、第１のバンク排水マニホールドを通り、かつ共通出口を通って流れることを可能にするように配置構成される。
【００１６】
[0034]別の実施形態では、水を濾過するための方法が提供され、原水をシステムに流すステップと、一方のバンクから濾液を取得するステップと、濾液の一部を逆流として他方のバンクに流通させるステップと、飲料用に処理される濾液の別の部分を取得するステップとを含む。
【００１７】
[0035]例えば、水を濾過するための方法の一実施形態では、本方法は、原水を水濾過システムに、及び第１のバンク（例えば、上側バンク又は右側バンク）の水濾過アセンブリに流入させるステップと、濾液を取得するステップと、濾液の一部を逆流として第２のバンク（例えば、下側バンク又は左側バンク）の水濾過アセンブリに流通させるステップと、飲料用に処理される濾液の別の部分を取得するステップとを含む。典型的には、飲料用に処理される濾液の部分は、貯蔵容器に送られる。本方法の実施形態はまた、原水を第２のバンクの水濾過アセンブリに流入させるステップと、濾液を取得するステップと、濾液の一部を逆流として第１のバンクの水濾過アセンブリに流通させるステップと、例えば、飲料用に処理される濾液の別の部分を取得するステップとを含むことができ、飲料用に処理される部分が、貯蔵容器に送られる。
【００１８】
[0036]バンクを通る交互の流れは、必要に応じて繰り返すことができる。
【００１９】
[0037]本発明の一実施形態によれば、上側バンクと、下側バンクとを備える水濾過システムが提供され、（Ａ）上側バンクは、（ａ）複数の水平に配置された水濾過アセンブリであって、上側バンクにおける各水濾過アセンブリが、供給入口、濾液出口、及び排水出口を含むフィルタハウジングを有するフィルタモジュールを備え、フィルタハウジングが、供給入口と濾液出口との間の濾液流路、及び供給入口と排水出口との間の排水流路、並びに濾液流路全体にわたる多孔質フィルタを画定し、濾液流路が、多孔質フィルタの上流及び下流表面を貫通し、排水流路が、多孔質フィルタの表面を貫通しない、水濾過アセンブリと、（ｂ）上側バンク供給入口及び複数の水濾過アセンブリ入口ポートを備える上側バンク供給マニホールドであって、各水濾過アセンブリ入口ポートが、それぞれのフィルタモジュール供給入口と流体連通している、上側バンク供給マニホールドと、（ｃ）上側バンク濾液出口ポート及び複数の水濾過アセンブリ出口ポートを備える上側バンク濾液マニホールドであって、各水濾過アセンブリ出口ポートが、それぞれのフィルタモジュール濾液出口と流体連通しており、上側バンク濾液出口ポートが、第１の定流量継手と流体連通している、上側バンク濾液マニホールドと、（ｄ）上側バンク排水出口ポート及び複数の水濾過アセンブリ排水出口ポートを備える上側バンク排水マニホールドであって、各水濾過アセンブリ排水出口ポートが、それぞれのフィルタモジュール排水出口と流体連通しており、上側バンク排水出口ポートが、第２の定流量継手と流体連通している、上側バンク排水マニホールドとを備え、（Ｂ）下側バンクは、（ｅ）複数の水平に配置された水濾過アセンブリであって、下側バンクにおける各水濾過アセンブリが、供給入口、濾液出口、及び排水出口を含むフィルタハウジングを有するフィルタモジュールを備え、フィルタハウジングが、供給入口と濾液出口との間の濾液流路、及び供給入口と排水出口との間の排水流路、並びに濾液流路全体にわたる多孔質フィルタを画定し、濾液流路が、多孔質フィルタの上流及び下流表面を貫通し、排水流路が、多孔質フィルタの表面を貫通しない、水濾過アセンブリと、（ｆ）下側バンク供給入口及び複数の水濾過アセンブリ入口ポートを備える下側バンク供給マニホールドであって、各水濾過アセンブリ入口ポートが、それぞれのフィルタモジュール供給入口と流体連通している、下側バンク供給マニホールドと、（ｇ）下側バンク濾液出口ポート及び複数の水濾過アセンブリ出口ポートを備える下側バンク濾液マニホールドであって、各水濾過アセンブリ出口ポートが、それぞれのフィルタモジュール濾液出口と流体連通しており、下側バンク濾液出口ポートが、第１の定流量継手と流体連通している、下側バンク濾液マニホールドと、（ｈ）下側バンク排水出口ポート及び複数の水濾過アセンブリ排水出口ポートを備える下側バンク排水マニホールドであって、各水濾過アセンブリ排水出口ポートが、それぞれのフィルタモジュール排水出口と流体連通しており、下側バンク排水出口ポートが、第３の定流量継手と流体連通している、下側バンク排水マニホールドとを備える。
【００２０】
[0038]本発明の別の実施形態によれば、上側バンクと、下側バンクとを備える水濾過システムが提供され、（Ａ）右側バンクは、（ａ）複数の水平に配置された水濾過アセンブリであって、右側バンクにおける各水濾過アセンブリが、供給入口、濾液出口、及び排水出口を含むフィルタハウジングを有するフィルタモジュールを備え、フィルタハウジングが、供給入口と濾液出口との間の濾液流路、及び供給入口と排水出口との間の排水流路、並びに濾液流路全体にわたる多孔質フィルタを画定し、濾液流路が、多孔質フィルタの上流及び下流表面を貫通し、排水流路が、多孔質フィルタの表面を貫通しない、水濾過アセンブリと、（ｂ）右側バンク供給入口及び複数の水濾過アセンブリ入口ポートを備える右側バンク供給マニホールドであって、各水濾過アセンブリ入口ポートが、それぞれのフィルタモジュール供給入口と流体連通している、右側バンク供給マニホールドと、（ｃ）右側バンク濾液出口ポート及び複数の水濾過アセンブリ出口ポートを備える右側バンク濾液マニホールドであって、各水濾過アセンブリ出口ポートが、それぞれのフィルタモジュール濾液出口と流体連通しており、右側バンク濾液出口ポートが、第１の定流量継手と流体連通している、右側バンク濾液マニホールドと、（ｄ）右側バンク排水出口ポート及び複数の水濾過アセンブリ排水出口ポートを備える右側バンク排水マニホールドであって、各水濾過アセンブリ排水出口ポートが、それぞれのフィルタモジュール排水出口と流体連通しており、右側バンク排水出口ポートが、第２の定流量継手と流体連通している、右側バンク排水マニホールドとを備え、（Ｂ）左側バンクは、（ｅ）複数の水平に配置された水濾過アセンブリであって、左側バンクにおける各水濾過アセンブリが、供給入口、濾液出口、及び排水出口を含むフィルタハウジングを備えるフィルタモジュールを備え、フィルタハウジングが、供給入口と濾液出口との間の濾液流路、及び供給入口と排水出口との間の排水流路、並びに濾液流路全体にわたる多孔質フィルタを画定し、濾液流路が、多孔質フィルタの上流及び下流表面を貫通し、排水流路が、多孔質フィルタの表面を貫通しない、水濾過アセンブリと、（ｆ）左側バンク供給入口及び複数の水濾過アセンブリ入口ポートを備える左側バンク供給マニホールドであって、各水濾過アセンブリ入口ポートが、それぞれのフィルタモジュール供給入口と流体連通している、下側バンク供給マニホールドと、（ｇ）左側バンク濾液出口ポート及び複数の水濾過アセンブリ出口ポートを備える左側バンク濾液マニホールドであって、各水濾過アセンブリ出口ポートが、それぞれのフィルタモジュール濾液出口と流体連通しており、左側バンク濾液出口ポートが、第１の定流量継手と流体連通している、左側バンク濾液マニホールドと、（ｈ）左側バンク排水出口ポート及び複数の水濾過アセンブリ排水出口ポートを備える左側バンク排水マニホールドであって、各水濾過アセンブリ排水出口ポートが、それぞれのフィルタモジュール排水出口と流体連通しており、左側バンク排水出口ポートが、第３の定流量継手と流体連通している、左側バンク排水マニホールドとを備える。
【００２１】
[0039]いくつかの実施形態では、水濾過システムは、上側／右側バンク及び下側／左側バンクが取り付けられたフレームをさらに備える。代替の実施形態では、各バンクは、別個独立のフレームに取り付けることができ、又はバンクは、フレームの有無にかかわらず一緒に取り付けることができる。さらに別の実施形態では、少なくとも１つのバンクは、ベース（例えば、ジョイントモジュラーインターモーダルコンテナ（ＪＭＩＣ）パレットのベース）に取り付けることができる。
【００２２】
[0040]好ましい実施形態では、オフラインバンクの供給入口が、キャップされ又は閉鎖され、システムが、第１の定流量継手を備える共通濾液継手を備え、共通濾液継手が、オンラインバンク（例えば、上側バンク又は右側バンク）濾液ポート及び上側バンク又は右側バンク濾液マニホールドからの濾液の流れが逆流として下側バンク又は左側バンクマニホールド、下側バンク又は左側バンクモジュール濾液出口を経て水濾過アセンブリの他方のバンク（例えば、下側バンク又は左側バンク）を通って、多孔質フィルタの表面、下側バンク又は左側バンク排水ポートを通り、下側バンク又は左側バンク排水マニホールドを通って、かつ共通出口を通って流れることを可能にし、以前のオフラインバンクが現在オンラインバンクになっているとき、現在のオンラインバンク（例えば、現在下側バンク又は左側バンク）濾液ポート及び下側バンク又は左側バンク濾液マニホールドからの濾液の流れが逆流として上側バンク又は右側バンク濾液マニホールド、上側バンク又は右側バンクモジュール濾液出口を経て上側バンク又は右側バンク水濾過アセンブリの他方のバンク（現在オフラインの上側バンク又は右側バンク）を通り、多孔質フィルタの表面、上側バンク又は右側バンク排水ポートを通って、上側バンク又は右側バンク排水マニホールドを通り、かつ共通出口を通って流れることを可能にするように配置構成される。
【００２３】
[0041]別の実施形態では、水を濾過するための方法が提供され、原水をシステムに流入させるステップと、一方のバンクから濾液を取得するステップと、濾液の一部を逆流として他方のバンクに流通させるステップと、飲料用に処理される濾液の別の部分を取得するステップとを含む。
【００２４】
[0042]好適には、（手動又は自動で操作される機械式弁の代わりに）定流量継手を使用することは、オペレータの入力なしで統合された同時供給及び逆流を可能にすることができ、オペレータの入力なしで所望の膜フラックスを得るための正確な流量制御を提供することができることである。システムは、化学洗浄の間に長時間稼働しているとき、エアスクラブなしで運転することができる（空気圧システムが必要である）。加えて、濁度の高い水源（比濁計濁度単位（ＮＴＵ））から膜に蓄積した沈泥が防止される。システム自体は、電気構成要素又は電力を必要とせず、様々なポンプと互換性があり得、ポンプは、システムの実施形態と一体化する必要はない。
【００２５】
[0043]定流量継手を選択することによって、所望の流量比を達成することができる。
【００２６】
[0044]次に、本発明の構成要素の各々を以下により詳細に説明するが、同様の構成要素は、同様の参照番号を有する。
【００２７】
[0045]以下でより詳細に説明するように、単に理解を容易にするために、「第１のバンク」への言及は、「上側バンク」及び「右側バンク」、又は「上側／右側バンク」という用語と互換的に使用することができ、「第２のバンク」への言及は、「下側バンク」及び「左側バンク」、又は「下側／左側バンク」という用語と互角的に使用することができる。
【００２８】
[0046]図１及び図２はそれぞれ、水濾過アセンブリ１０００の上側バンク及び水濾過アセンブリ２０００の下側バンクと、上側バンク供給マニホールド１１１及び下側バンク供給マニホールド２１１と、上側バンク濾液マニホールド１２２及び下側バンク濾液マニホールド２２２と、上側バンク排水マニホールド１３３及び下側バンク排水マニホールド２３３とを備える水濾過システム１の一実施形態の前方からの等角図及び後方からの等角図を示す。
【００２９】
[0047]水濾過アセンブリの上側バンク及び下側バンクは、それぞれ、モジュール１００、２００を備え（本発明の実施形態は２つ以上のモジュールを備え、図１及び図２に示されるアセンブリは各々４つのモジュールを備え、図１０及び図１１に示されるアセンブリは各々２つのモジュールを備えるが、任意の数のモジュールを使用することができる）、それぞれのモジュールは各々、供給入口１１、２１と、濾液出口１２、２２と、排水出口１３、２３とを有するハウジング１１５、２１５を備え（図６Ａ〜図６Ｃに示す）、各フィルタハウジングは、供給入口と濾液出口との間の濾液流路、及び供給入口と排水出口との間の排水流路を画定し、濾液流路全体にわたって多孔質フィルタ１００Ａ、２００Ａ（図６Ｂに示す）を有する（排水流路は、多孔質フィルタの表面を貫通しない）。以下でより詳細に説明するように、逆洗中、オフラインバンクの供給入口は、キャップされ又は閉鎖され、水濾過アセンブリの一方のバンクからの濾液は、水濾過アセンブリの他方の（オフライン）バンクを逆方向に通過する（すなわち、オンラインバンクの濾液出口からオフラインバンクの濾液出口に、オフラインバンクの多孔質フィルタを通過し、かつオフラインバンクの排水出口を通過する）。
【００３０】
[0048]本発明の実施形態に従って、様々なフィルタ及びフィルタ要素を使用することができる。フィルタ１００Ａ及び２００Ａは、中空の多孔質繊維の束（縮尺通りには示されていない）として図６Ｂに示されているが、他の構成、例えば、多孔質の平らなシートを備えることができる。フィルタが中空の多孔質繊維を含むそれらの実施形態では、濾液流路は、「内側から外側」（繊維膜の内側表面から外側表面を通過する）又はより好ましくは、「外側から内側」（繊維膜の外側表面から内側表面を通過する）とすることができる。
【００３１】
[0049]上側バンク供給マニホールド１１１及び下側バンク供給マニホールド２１１はそれぞれ、未処理供給入口１０１、２０１、並びにそれぞれのモジュール供給入口１１、２１との流体連通を可能とするポートを有し、上側バンク濾液マニホールド１２２及び下側バンク濾液マニホールド２２２はそれぞれ、対応のモジュール濾液出口１２、２２との流体連通を可能とするポートを有し、上側バンク排水マニホールド１３３及び下側バンク排水マニホールド２３３はそれぞれ、対応のモジュール排水出口１３、２３との流体連通を可能とするポートを有する。排水マニホールドから流出する排水は、以下に説明するように、排水導管１３４、２３４に沿って流通する。
【００３２】
[0050]図３、図４及び図５（それぞれ、上面図、側面図及び正面図を示す）に詳細に示すように、図示のシステム１はまた、上側バンク濾液導管１２３（以下により詳細に説明するように、上側バンク逆流導管４２３も備える）と、下側バンク濾液導管２２３（以下により詳細に説明するように、下側バンク逆流導管５２３も備える）とを備え、これらの導管は、第１の定流量継手３７５（図７は、継手に配置され得る一般化された定流量弁を示す）を備える共通濾液継手３９０及び共通濾液出口３０２で接合される。
【００３３】
[0051]図示のシステムはまた、共通排水継手６９０と連通している第２の定流量継手１７５（図７）と連通する上側バンク排水導管１３４と、共通排水継手６９０と連通している第３の定流量継手２７５（図７）と連通する下側バンク排水導管２３４とを備え、共通排水継手６９０は共通排水出口３０１をさらに備える。
【００３４】
[0052]上記のように、システム１の図示の実施形態は、上側バンク濾液導管１２３（上側バンク逆流導管４２３も備える）と、下側バンク濾液導管２２３（下側バンク逆流導管５２３を備える）とを備える。
【００３５】
[0053]図１及び図２に示される実施形態では、バンクは、エンドピース、クロスピース、及び支柱を備えるフレーム７００に取り付けられている。様々なフレーム構成が、本発明の実施形態による使用に適している。
【００３６】
[0054]また、上記のように、単に理解を容易にするために、「第１のバンク」への言及は、「上側バンク」及び「右側バンク」、又は「上側／右側バンク」という用語と互換的に使用することができ、「第２のバンク」への言及は、「下側バンク」及び「左側バンク」、又は「下側／左側バンク」という用語と互換的に使用することができる。
【００３７】
[0055]図１０及び図１１はそれぞれ、水濾過システムの別の実施形態の前方からの等角図及び後方からの等角図を示し、図１及び図２に示すような水濾過アセンブリの垂直に配置された（すなわち、上側及び下側）バンクを有する代わりに、図１０及び図１１に示される水濾過システム１’の実施形態は、水濾過アセンブリの水平に配置された（すなわち、右側及び左側）バンクを有する。参照を容易にするために、システムの各実施形態に共通する構成要素は同じ参照番号を有し、例えば、水濾過アセンブリの上側バンクと水濾過アセンブリの右側バンクの両方は、参照番号１０００を有し、水濾過アセンブリの下側バンクと水濾過アセンブリの左側バンクの両方は、参照番号２０００を有する。
【００３８】
[0056]この図示の実施形態では、システム１’は、フレーム７００に取り付けられた各水濾過アセンブリに２つのモジュールを有し、したがって重量を軽減し、人が運ぶのに適したものとなっている。
【００３９】
[0057]図１０及び図１１に示されるシステムの実施形態は、右側バンク濾液マニホールド１２２及び左側バンク濾液マニホールド２２２を含むが、図１及び図２に示す実施形態とは対照的に、図１０及び図１１では、右側バンク濾液マニホールド１２２及び左側バンク濾液マニホールド２２２は、共通マニホールド３２２を提供するために一緒に接合されている。
【００４０】
[0058]加えて、図１２に示す図示の実施形態では、システム１’は、上側バンク濾液導管１２３（上側バンク逆流導管４２３も備える）及び下側バンク濾液導管２２３（下側バンク逆流導管５２３も備える）を含むシステム１の実施形態（例えば、図３に示す）とは対照的に、第１の定流量継手３７５を備える濾液継手３９１に接合される単一の濾液導管／逆流導管３２３を含み、導管は、第１の定流量継手３７５を備える共通濾液継手３９０で接合される。
【００４１】
[0059]各実施形態で同じではない他の構成要素（例えば、フレーム、ベース、パレット）は、異なる参照番号を有し、別々に説明する。
【００４２】
[0060]参照のために図８Ａ、図８Ｂ、図９Ａ及び図９Ｂを使用すると、一方のバンク（例えば、水濾過アセンブリの上側バンク又は右側バンク）が順方向濾過で「オンライン」であり、原水が一定の順方向洗浄液を提供し、他方のバンク（例えば、水濾過アセンブリの下側バンク又は左側バンク）が「オフライン」であり、下側／左側バンクは、上側／右側バンクからの濾液を使用した一定の逆方向洗浄液によって再生される。例えば、オンラインバンクによって受け取られた原水の約３分の２が濾液としてモジュールを通過することができ、約３分の１が各モジュールの長さを下って進んで下向きの排水ポートから排出され、供給洗浄液を提供する。供給洗浄液は、ハウジングの底に蓄積し得る沈殿物を運び去り、したがって膜の汚れを防止する。オンラインバンクからの濾液の約半分は製品水として収集され（飲料用に塩素を注入する必要がある）、残りの約半分は一定の逆方向洗浄液を提供するためにオフラインバンクに迂回される。特定の状況及び／又は用途に応じて、水の量（原水、濾液、供給洗浄液及び逆方向洗浄液）を変更することができる。
【００４３】
[0061]したがって、追加の参照のために図３を使用すると、水濾過アセンブリ１０００の上側バンク／右側バンクがオンラインであるとき（及び水濾過アセンブリ２０００の下側バンク／左側バンクがオフラインであるとき）、下側バンク／左側バンク未処理供給入口２０１は閉鎖され、上側バンク／右側バンク未処理供給入口１０１は開放され、未処理（原）水は、供給入口１０１から上側バンク供給マニホールド１１１を通って、入口１１を経てそれぞれのモジュール１００を通って流れ、流体流路に沿ってフィルタ１００Ａの多孔質メディアを通って、かつ濾液出口１２及び上側バンク濾液マニホールド１２２（濾液）を通って流れ、又は別の流体流路に沿って（フィルタメディアを通らず）排水出口１３を通って、かつ上側バンク／右側バンク排水マニホールド１３３を通って流れ（モジュールの供給洗浄液を提供する）、その後、排水は、上側バンク排水導管１３４に沿って第２の定流量継手１７５及び共通排水継手６９０を通って、かつ共通排水出口３０１を通過して原水に至る。
【００４４】
[0062]加えて、上側／右側バンク濾液マニホールド１２２から流れる濾液は、上側／右側バンク濾液導管１２３を通過して共通濾液継手３９０に至る。濾液の一部は、共通濾液継手３９０、第１の定流量継手３７５及び共通濾液出口３０２を通過して貯蔵容器に至り、濾液の別の部分は、下側／左側バンク逆流導管５２３に沿って迂回される（すなわち、下側／左側バンク濾液導管２２３では、流体は、反対方向を通って逆流となる）。したがって、下側／左側バンク逆流導管５２３に沿って迂回される流体は、下側／左側バンク濾液マニホールド２２２、下側／左側バンク出口２２を介して下側／左側バンク水濾過アセンブリを逆方向に、フィルタ２００Ａの多孔質フィルタメディア、及び下側／左側バンク排水マニホールド２３３、下側バンク／左側バンク排水導管２３４、第３の定流量継手２７５、共通排水継手６９０（「供給洗浄液」水と組み合わせる）を通って、かつ共通排水出口３０１を通って流れて原水に至る（下側／左側バンク濾液マニホールド２２２、下側／左側バンク出口２２、フィルタ２００Ａの多孔質フィルタメディア、及び下側／左側バンク排水マニホールド２３３は図３には示されていない。図１及び図２参照）。
【００４５】
[0063]代替の実施形態では、参照のために図１２を使用すると、水濾過アセンブリ１０００の上側バンク／右側バンクは、オンラインであり、下側バンク／左側バンク未処理供給入口２０１は閉鎖され、上側バンク／右側バンク未処理供給入口１０１は開放され、未処理（原）水は、供給入口１０１から上側バンク供給マニホールド１１１を通って、入口１１を経てそれぞれのモジュール１００を通って流れ、流体流路に沿ってフィルタ１００Ａの多孔質メディアを通って、かつ濾液出口１２及び上側バンク／右側バンク濾液マニホールド１２２（濾液）を通って流れ、又は別の流体流路に沿って（フィルタメディアを通らず）排水出口１３を通って、かつ上側バンク／右側バンク排水マニホールド１３３を通って流れ（モジュールの供給洗浄液を提供する）、その後、排水は、上側バンク／右側バンク排水導管１３４に沿って第２の定流量継手１７５及び共通排水継手６９０を通って、かつ共通排水出口３０１を通過して原水に至る。
【００４６】
[0064]上側／右側バンク濾液マニホールド１２２から流れ出る濾液は、下側バンク／左側バンク濾液マニホールド２２２を通過し、濾液導管３２３を通って濾液継手３９１に至る。濾液の一部は、濾液継手３９１、第１の定流量継手３７５及び共通濾液出口３０２を通過して貯蔵容器に至り、濾液の別の部分は、下側バンク／左側バンク濾液マニホールド２２２、下側／左側バンク出口２２に沿って、フィルタ２００Ａの多孔質フィルタメディア、及び下側バンク／左側バンク排水マニホールド２３３を通って、下側バンク／左側バンク排水導管２３４、第３の定流量継手２７５、共通排水継手６９０（「供給洗浄液」水と組み合わせる）を通って、かつ共通排水出口３０１を通って迂回されて原水に至る（下側／左側バンク出口２２、及びフィルタ２００Ａの多孔質フィルタメディアは図１２には示されていない。図１０及び図１１参照）。
【００４７】
[0065]参照のために図１〜図３を使用すると、水濾過アセンブリ２０００の下側／左側バンクがオンラインであるとき（及び水濾過アセンブリ１０００の上側バンク／右側バンクがオフラインであるとき）同様の手順が生じ、モジュール２００の供給洗浄液及び上側／右側バンクモジュール１００の逆方向洗浄液が提供される。具体的には、下側／左側バンク濾液マニホールド２２２から流れる濾液は、下側／左側バンク濾液導管２２３を通過して共通濾液継手３９０に至る。濾液の一部は、共通濾液継手３９０、第１の定流量継手３７５及び共通濾液出口３０２を通過して貯蔵容器に至り、濾液の別の部分は、上側／右側バンク逆流導管４２３に沿って迂回される（すなわち、上側／右側バンク濾液導管１２３では、流体は、反対方向を通って逆流となる）。したがって、上側／右側バンク逆流導管４２３に沿って迂回される流体は、上側／右側バンク濾液マニホールド１２２、上側／右側バンク出口１２を介して上側／右側バンク水濾過アセンブリを逆方向に、フィルタ１００Ａの多孔質フィルタメディア、及び上側／右側バンク排水マニホールド１３３、上側バンク／右側バンク排水導管１３４、第２の定流量継手１７５、共通排水継手６９０（「供給洗浄液」水と組み合わせる）を通って、かつ共通排水出口３０１を通って流れて原水に至る。
【００４８】
[0066]代替の実施形態では、参照のために図１０〜図１２を使用すると、水濾過アセンブリ２０００の下側／左側バンクがオンラインであるとき（及び水濾過アセンブリ１０００の上側バンク／右側バンクがオフラインであるとき）同様の手順が生じ、モジュール２００の供給洗浄液及び上側／右側バンクモジュール１００の逆方向洗浄液が提供される。具体的には、下側／左側バンク濾液マニホールド２２２から流れる濾液は、上側バンク／右側バンク濾液マニホールド１２２を通過し、濾液導管３２３を通って濾液継手３９１に至る。濾液の一部は、濾液継手３９１、第１の定流量継手３７５及び共通濾液出口３０２を通過して貯蔵容器に至り、濾液の別の部分は、上側バンク／右側バンク濾液マニホールド１２２、上側バンク／右側バンク出口１２に沿って、フィルタ１００Ａの多孔質フィルタメディア、及び上側バンク／右側バンク排水マニホールド１３３を通って、上側バンク／右側バンク排水導管１３４、第２の定流量継手１７５、共通排水継手６９０（「供給洗浄液」水と組み合わせる）を通って、かつ共通排水出口３０１を通って迂回されて原水に至る。
【００４９】
[0067]フィルタ及びフィルタ要素は、任意の適切な細孔構造、例えば、細孔径（例えば、例として米国特許第４，３４０，４７９号明細書に記載されているバブルポイントにより若しくはＫＬにより明らかである、若しくは毛管凝縮流動ポロメトリーにより明らかである）、平均流量細孔（ＭＦＰ）径（例えば、ポロメータ、例えば、ポールベアポロメータ（Ｐｏｒｖａｉｒ  Ｐｏｒｏｍｅｔｅｒ）（Ｐｏｒｖａｉｒ  ｐｌｃ、ノーフォーク、英国）若しくは商標ポロラクス（ＰＯＲＯＬＵＸ）（Ｐｏｒｏｍｅｔｅｒ．ｃｏｍ、ベルギー）で入手可能なポロメータを使用して特徴付ける場合）、細孔等級、細孔直径（例えば、例として米国特許第４，９２５，５７２号明細書に記載されている修正ＯＳＵ  Ｆ２試験を使用して特徴付ける場合）、又は除去等級メディアを有することができる。本発明の一実施形態によれば、多孔質フィルタは、例えば、ナノ多孔質膜、例えば、１ｎｍ〜１００ｎｍの直径の細孔を有する膜、又は１μｍ〜１０μｍの直径の細孔を有する微多孔質膜である。
【００５０】
[0068]モジュールハウジング及びマニホールドは、任意の適切な剛性不浸透性材料から製作することができる。例えば、ハウジングは、ポリマーから製作することができるが、より典型的には、ステンレス鋼などの金属から製作される。
【００５１】
[0069]通常、フレーム、ベース、及びパレットは、ステンレス鋼などの金属から製作される。
【００５２】
[0070]様々なフレーム、ベース、及びパレットが、本発明の実施形態による使用に適している。
【００５３】
[0071]一実施形態では、参照のために図１５〜図１９を使用すると、ベース８００は、例えば、ＭＩＬ  ＳＴＤ  ３０２８に適合する、ジョイントモジュラーインターモーダルコンテナ（ＪＭＩＣ）、又はＪＭＩＣパレットの一部である。ＪＭＩＣは、例えば、Ｇａｒｒｅｔｔ  Ｃｏｎｔａｉｎｅｒ  Ｓｙｓｔｅｍｓ，Ｉｎｃ．（アクシデント、メリーランド州）から入手可能である。図１７〜図１９に示される実施形態は、ＪＭＩＣ側壁８０１Ａ、８０１Ｂ、８０１Ｃ、及び８０１Ｄを示し、図１９はまた、ＪＭＩＣ蓋８０２、及びＪＭＩＣ容器９００を示す。
【００５４】
[0072]様々な導管、継手、及び定流量弁（複数オリフィス、より好ましくは、単一オリフィスの弁を含む）が、本発明の実施形態での使用に適している。好ましくは、排水ラインの定流量弁は同じ流量を有するが、濾液定流量弁と排水濾液流量弁の１つとを組み合わせた流量が膜のオンラインバンクの最大の所望のフラックス流量を超えない限り、濾液ラインの流量をわずかに高くすることができる。
【００５５】
[0073]システムの実施形態は、少なくとも１つのベント（ガス入口及び／又はガス出口を含む）のような追加の要素を含んでもよい。追加的又は代替的に、システムは、例えば、少なくとも１つの追加の導管、コネクタ、及び／又は継手を含んでもよい。
【００５６】
[0074]以下の実施例は本発明をさらに説明するものであるが、もちろん、その範囲を限定するものと解釈すべきではない。
【実施例１】
【００５７】
[0075]この実施例は、水濾過システムの一実施形態を使用した水の濾過を示している。
【００５８】
[0076]水濾過システムは、図１〜図７に略示されるように、上側及び下側バンクを備えて配置され、各バンクは、並列に接続された、ＭＩＣＲＯＺＡ  ＵＮＣ６４０Ａ  ０．１ミクロン膜を含む４つのモジュールを有する。
【００５９】
[0077]排水ラインと濾液ラインの定流量継手は、Ｃｏｎｓｔａｎｔ  Ｆｌｏｗ  Ｖａｌｖｅ  ２インチ  シングルオリフィス  ＢＳＰ  ＰＶＣ  ７３ＬＰＭ  部品番号５０ＦＦＰＰ７３（Ｍａｒｉｃ  Ｆｌｏｗ  Ｃｏｎｔｒｏｌ、マギル、南オーストラリア州）である。
【００６０】
[0078]モジュールハウジング及びマニホールドはステンレス鋼であり、フレームはクロム−モリブデン合金鋼である。
【００６１】
[0079]システムは、オーストラリア国防軍の８００ｋｇトレーラに搭載されている。
【００６２】
[0080]システムは、ディーゼル駆動ポンプを使用して、図８Ａ、図８Ｂ、図９Ａ、及び図９Ｂに概略的に示されるように運転される。
【００６３】
[0081]原水は、上側供給マニホールド又は下側供給マニホールドを介して一度に一方のバンク（オンラインバンク）に供給され、他方のバンクでは一定の逆方向洗浄液になる（オフラインバンク）。
【００６４】
[0082]オンラインバンクは、１２ｍ３／ｈの割合で原水を受け取り、そのうち３分の２（８ｍ３／ｈ）が濾液として４つのモジュールの各々を流れ、３分の１（４ｍ３／ｈ）が各モジュールの長さを下って進み、下向きの排水ポートから排出される（供給洗浄液）。高流量の供給洗浄液は、ハウジングの底に蓄積した沈殿物を運び去るように作用し、ＭＦ膜の汚れを防止する。
【００６５】
[0083]オンラインバンクからの濾液（４ｍ３／ｈ）の半分は、製品水として収集され（飲料用に手動で塩素を注入する必要がある）、残りの半分（４ｍ３／ｈ）は一定の逆方向洗浄液としてオフラインバンクに迂回される。流量比は、定流量継手を使用することで達成される。
【００６６】
[0084]システムは、淡水源から１日あたり１００，０００リットル（ｌ／ｄ）を生成する。
【実施例２】
【００６７】
[0085]この実施例は、水濾過システムの別の実施形態を使用した水の濾過を示している。
【００６８】
[0086]水濾過システムは、図１０〜図１２に略示されるように、右側及び左側バンクを備えて配置され、各バンクは、並列に接続された、ＭＩＣＲＯＺＡ  ＵＮＣ６４０Ａ  ０．１ミクロン膜を含む２つのモジュールを有する。
【００６９】
[0087]排水ラインと濾液ラインの定流量継手は、Ｃｏｎｓｔａｎｔ  Ｆｌｏｗ  Ｖａｌｖｅ  ２インチ  シングルオリフィス  ＢＳＰ  ＰＶＣ  ７３ＬＰＭ  部品番号５０ＦＦＰＰ７３（Ｍａｒｉｃ  Ｆｌｏｗ  Ｃｏｎｔｒｏｌ、マギル、南オーストラリア州）である。
【００７０】
[0088]モジュールハウジング及びマニホールドはステンレス鋼であり、フレームはクロム−モリブデン合金鋼である。
【００７１】
[0089]システムは、オーストラリア国防軍の８００ｋｇトレーラに搭載されている。
【００７２】
[0090]システムは、ディーゼル駆動ポンプを使用して、図８Ａ、図８Ｂ、図９Ａ、及び図９Ｂに概略的に示されるように運転される。
【００７３】
[0091]原水は、右側供給マニホールド又は左側供給マニホールドを介して一度に一方のバンク（オンラインバンク）に供給され、他方のバンクでは一定の逆方向洗浄液になる（オフラインバンク）。
【００７４】
[0092]オンラインバンクは、６ｍ３／ｈの割合で原水を受け取り、そのうち３分の２（４ｍ３／ｈ）が濾液として２つのモジュールの各々を通過し、３分の１（４ｍ３／ｈ）が各モジュールの長さを下って進み、下向きの排水ポートから排出される（供給洗浄液）。高流量の供給洗浄液は、ハウジングの底に蓄積した沈殿物を運び去るように作用し、ＭＦ膜の汚れを防止する。
【００７５】
[0093]オンラインバンクからの濾液（２ｍ３／ｈ）の半分は、製品水として収集され（飲料用に手動で塩素を注入する必要がある）、残りの半分（２ｍ３／ｈ）は一定の逆方向洗浄液としてオフラインバンクに迂回される。流量比は、定流量継手を使用することで達成される。
【００７６】
[0094]本明細書で引用される出版物、特許出願、及び特許を含むすべての参考文献は、各参考文献が個別にかつ具体的に参照により組み込まれることが示され、その全体が本明細書に記載されるのと同じ程度に参照に、参照により本明細書に組み込まれる。
【００７７】
[0095]本発明を説明する文脈における（特に、以下の特許請求の範囲の文脈における）用語「ａ」及び「ａｎ」並びに「ｔｈｅ」並びに「少なくとも１つ」並びに同様の指示語の使用は、本明細書中に別段の指示がない又は文脈に明らかに矛盾しない限り、単数形と複数形の両方を包含すると解釈されるべきである。１つ又は複数の項目のリストに続いて用語「少なくとも１つ」の使用（例えば、「Ａ及びＢの少なくとも１つ」）は、本明細書に別段の指示がない又は文脈に明らかに矛盾しない限り、列挙した項目から選択される１つの項目（Ａ又はＢ）又は列挙した項目の２つ以上の任意の組合せ（Ａ及びＢ）を意味すると解釈されるべきである。「備える（ｃｏｍｐｒｉｓｉｎｇ）」、「有する（ｈａｖｉｎｇ）」、「含む（ｉｎｃｌｕｄｉｎｇ）」及び「含有する（ｃｏｎｔａｉｎｉｎｇ）」という用語は、別段の注記がない限りオープンエンド用語（すなわち、「含むが限定されない」を意味する）として解釈されるべきである。本明細書中における値の範囲の記述は、本明細書中に別段の指示がない限り、範囲内にあるそれぞれ別々の値に個別に言及する簡便な方法として役立つことを意図しているだけであり、それぞれ別々の値は、それらの値が本明細書中に個別に記述されているかのように本明細書に組み込まれる。本明細書に記載したすべての方法は、本明細書に別段の指示がない又は文脈に明らかに矛盾しない限り、任意の適切な順序で実施することができる。本明細書に示した任意の及びすべての例、又は例示的な言葉（例えば、「など」）の使用は、本発明をより明らかにすることを意図しているだけであり、別段の主張がない限り本発明の範囲に制限を加えるものではない。本明細書中の言葉は、本発明の実施に不可欠な任意の非請求要素を示すと解釈すべきではない。
【００７８】
[0096]本発明を行うための、本発明者らに既知である最良の形態を含む本発明の好ましい実施形態が本明細書に記載される。これらの好ましい実施形態の変形は、前述の記載を読むことにより当業者に明らかになることができる。本発明者らは、当業者が必要に応じてそのような変形を用いることを予期しており、本発明者らは、本発明が本明細書に具体的に記載したのとは別の方法で実施されることを意図する。したがって、本発明は、準拠法により許容されているように、本明細書に添付した特許請求の範囲に列挙された主題のすべての修正及び等価物を含む。さらに、そのすべての可能な変形における前述した要素の任意の組合せは、本明細書に別段の指示がない又は文脈に明らかに矛盾しない限り、本発明に包含される。
【符号の説明】
【００７９】
１…水濾過システム、１’…水濾過システム、１１…モジュール供給入口、１２…モジュール濾液出口、上側／右側バンク出口、１３…モジュール排水出口、２１…モジュール供給入口、２２…モジュール濾液出口、下側／左側バンク出口、２３…モジュール排水出口、１００…上側／右側バンクモジュール、１００Ａ…多孔質フィルタ、１０１…上側／右側バンク未処理供給入口、１１１…上側バンク供給マニホールド、１１５…ハウジング、１２２…上側／右側バンク濾液マニホールド、１２３…上側／右側バンク濾液導管、１３３…上側／右側バンク排水マニホールド、１３４…上側／右側バンク排水導管、１７５…第２の定流量継手、２００…モジュール、２００Ａ…多孔質フィルタ、２０１…下側／左側バンク未処理供給入口、２１１…下側バンク供給マニホールド、２１５…ハウジング、２２２…下側／左側バンク濾液マニホールド、２２３…下側／左側バンク濾液導管、２３３…下側／左側バンク排水マニホールド、２３４…下側／左側バンク排水導管、２７５…第３の定流量継手、３０１…共通排水出口、３０２…共通濾液出口、３２２…共通マニホールド、３２３…濾液導管／逆流導管、３７５…第１の定流量継手、３９０…共通濾液継手、３９１…濾液継手、４２３…上側／右側バンク逆流導管、５２３…下側／左側バンク逆流導管、６９０…共通排水継手、７００…フレーム、８００…ベース、８０１Ａ…ＪＭＩＣ側壁、８０１Ｂ…ＪＭＩＣ側壁、８０１Ｃ…ＪＭＩＣ側壁、８０１Ｄ…ＪＭＩＣ側壁、８０２…ＪＭＩＣ蓋、９００…ＪＭＩＣ容器、１０００…水濾過アセンブリ、２０００…水濾過アセンブリ
【図１】
2020110791.tif 000003
【図２】
2020110791.tif 000004
【図３】
2020110791.tif 000005
【図４】
2020110791.tif 000006
【図５】
2020110791.tif 000007
【図６Ａ】
2020110791.tif 000008
【図６Ｂ】
2020110791.tif 000009
【図６Ｃ】
2020110791.tif 000010
【図７】
2020110791.tif 000011
【図８Ａ】
2020110791.tif 000012
【図８Ｂ】
2020110791.tif 000013
【図９Ａ】
2020110791.tif 000014
【図９Ｂ】
2020110791.tif 000015
【図１０】
2020110791.tif 000016
【図１１】
2020110791.tif 000017
【図１２】
2020110791.tif 000018
【図１３】
2020110791.tif 000019
【図１４】
2020110791.tif 000020
【図１５】
2020110791.tif 000021
【図１６】
2020110791.tif 000022
【図１７】
2020110791.tif 000023
【図１８】
2020110791.tif 000024
【図１９】
2020110791.tif 000025
【外国語明細書】
2020110791000001.pdf